(57)【要約】【課題】熱せられた状態の被洗浄物を洗浄する際の使用者の火傷を防止できるとともに、汚染された被洗浄物を洗浄する際の使用者への汚れの付着を防止できる束子を提供する。【解決手段】束子１００は、芯材１０に複数のブラシ毛２０が植毛された束子１００である。この束子１００は、ブラシ毛２０の先端により形成される洗浄面２１と、洗浄面２１に対して略垂直方向に芯材１０に固定される複数の無底筒状体３０であって、箸を支持することが可能である複数の無底筒状体３０とを備える。【選択図】図１
0003158276.tif 000002
【実用新案登録請求の範囲】
【請求項１】
芯材または基材に複数のブラシ毛が植毛された束子であって、
前記ブラシ毛の先端により形成される洗浄面と、
前記洗浄面に対して略垂直方向に前記芯材または前記基材に固定される複数の無底筒状体であって、箸を支持することが可能である複数の無底筒状体とを備える、束子。
【請求項２】
前記洗浄面は、互いに略平行な２つの洗浄面であり、
前記無底筒状体は、前記２つの洗浄面に対して略垂直方向に固定され、
前記無底筒状体は、前記２つの洗浄面の両方向から箸を受け入れることが可能である、請求項１に記載の束子。
【請求項３】
前記無底筒状体が２つである、請求項１または請求項２に記載の束子。
【請求項４】
前記２つの無底筒状体が、接続部材により接続されている、請求項３に記載の束子。
【請求項５】
前記無底筒状体は、前記芯材に固定され、
前記無底筒状体は、無底筒状の固定部材に、前記無底筒状体の軸方向と前記固定部材の軸方向とが略垂直に固定されている、請求項１〜４のいずれかに記載の束子。
【請求項６】
前記無底筒状体の内部に凸部が形成される、請求項１〜５のいずれかに記載の束子。
【請求項７】
前記無底筒状体は、前記洗浄面に向かって細くなる部分を有している、請求項１〜５のいずれかに記載の束子。
【考案の詳細な説明】
【技術分野】
【０００１】
本考案は、束子に関し、より特定的には、箸を支持し得る束子に関する。
【背景技術】
【０００２】
従来から、食器や鍋類や流し台等を洗浄する際には、束子が使用されている。たとえば特開平８−８９４６３号公報（特許文献１）は、細繊維を針金で束ねて馬蹄形にした束子を開示している。この特許文献１に開示された束子は、２本の針金の間にシュロ、ヤシ等の硬くて細い繊維を挟み、針金を捩って、これを略馬蹄形にして針金を環状に連結させている。
【先行技術文献】
【特許文献】
【０００３】
【特許文献１】特開平８−８９４６３号公報
【考案の概要】
【考案が解決しようとする課題】
【０００４】
しかしながら、従来の束子は、直接手で握られて使用されることが前提となっている。このため、特に熱せられた状態の食器や鍋類を洗浄する場合には、それらの熱が使用者の手にも伝わってしまい、使用者が手に火傷を負ってしまう、という問題が生じていた。また、酷く汚れた状態の食器や鍋類や流し台等を洗浄する場合には、使用者の手にも汚れが付着してしまう、という問題も生じていた。
【０００５】
したがって、本考案の目的は、熱せられた状態の被洗浄物を洗浄する際の使用者の火傷を防止できるとともに、汚染された被洗浄物を洗浄する際の使用者への汚れの付着を防止できる束子を提供することである。
【課題を解決するための手段】
【０００６】
本願考案者は、従来の束子において使用者の火傷および使用者への汚れの付着の原因が、直接手で握られて使用されることにあることを見出した。この原因は、棒状の物体が束子に取り付けられるようにすれば、解消されるであろうことも見出した。しかし、単に棒状の物体が取り付けられた束子では、熱せられた状態の食器や鍋類を洗浄する場合や酷く汚れた状態の食器や鍋類や流し台等を洗浄する場合以外での使用時には、不便となる。すなわち、被洗浄物に対し力が伝わりにくくなってしまい、被洗浄物を効果的に洗浄することができない。そこで、本願考案者は、かかる問題を取り除く束子を鋭意研究し、本考案を創出した。
【０００７】
本考案の束子は、芯材または基材に複数のブラシ毛が植毛された束子である。この束子は、洗浄面と、複数の無底筒状体とを備える。この洗浄面は、ブラシ毛の先端により形成される。また、この複数の無底筒状体は、洗浄面に対して略垂直方向に芯材はたは基材に固定され、箸を支持することが可能である。
【０００８】
本考案によれば、熱せられた状態の食器や鍋類を洗浄する場合や酷く汚れた状態の食器や鍋類や流し台等を洗浄する場合には、複数の無底筒状体に箸を支持させて使用することができる。これにより、熱せられた状態の被洗浄物を洗浄する際の使用者の火傷を防止できるとともに、汚染された被洗浄物を洗浄する際の使用者への汚れの付着を防止できる。また、熱せられた状態の食器や鍋類を洗浄する場合や酷く汚れた状態の食器や鍋類や流し台等を洗浄する場合以外では、直接手で握って使用することができる。これにより、被洗浄物に対し適切に力が伝わり、被洗浄物を効果的に洗浄することができる。さらに、被洗浄物を直接手を使用せずに洗浄できることから、手を濡らすことを避けることもできる。また、火傷予防のために、熱せられた状態の被洗浄物が冷めるのを待つことなく洗浄できることから、洗浄の時間短縮にも繋がる。
【０００９】
好ましくは、本考案の束子は、洗浄面が、互いに略平行な２つの洗浄面であり、無底筒状体が、２つの洗浄面に対して略垂直方向に固定される。また、無底筒状体は、２つの洗浄面の両方向から箸を受け入れることが可能である。これにより、無底筒状体に箸が支持され易くなる。従って、例えば、調理をする際に使用した箸により即座に調理具を洗浄することができる。
【００１０】
好ましくは、本考案の束子は、無底筒状体が２つである。これにより、さらに、無底筒状体に箸が支持され易くなる。
【００１１】
好ましくは、本考案の束子は、２つの無底筒状体が、接続部材により接続されている。これにより、容易に２つの無底筒状体間を位置合わせすることができる。
【００１２】
好ましくは、無底筒状体は、芯材に固定され、無底筒状体は、無底筒状の固定部材に、無底筒状体の軸方向と固定部材の軸方向とが略垂直に固定されている。これにより、無底筒状体と芯材との固定が容易となる。
【００１３】
好ましくは、無底筒状体の内部に凸部が形成される。これにより、無底筒状体に箸が確実に固定される。
【００１４】
好ましくは、無底筒状体は、洗浄面に向かって細くなる部分を有している。これにより、無底筒状体に箸が確実に固定される。
【考案の効果】
【００１５】
本考案の束子によれば、熱せられた状態の被洗浄物を洗浄する際の使用者の火傷を防止できるとともに、汚染された被洗浄物を洗浄する際の使用者への汚れの付着を防止できる。
【図面の簡単な説明】
【００１６】
【図１】本考案の一実施形態における束子を示す斜視図である。
【図２】図１におけるＡ−Ａ断面を示す断面図である。
【図３】箸が支持された状態の束子および箸を示す使用状態図である。
【図４】本考案の一実施形態の束子の製造の一工程を示す説明図である。
【図５】本考案の一実施形態の束子の製造の一工程を示す説明図である。
【図６】本考案の一実施形態の束子の製造の一工程を示す説明図である。
【図７】本考案の他の一実施形態における束子を示す斜視図である。
【図８】図７におけるＡ−Ａ断面を示す断面図である。
【図９】本考案の他の一実施形態における束子を構成する無底筒状体および接続部材を示す斜視図である。
【図１０】本考案の他の一実施形態の束子の製造の一工程を示す説明図である。
【図１１】本考案の他の一実施形態の束子の製造の一工程を示す説明図である。
【図１２】本考案の他の一実施形態の束子の製造の一工程を示す説明図である。
【図１３】本考案の他の一実施形態における束子を示す斜視図である。
【図１４】図１３におけるＡ−Ａ断面を示す断面図である。
【図１５】本考案の他の一実施形態における束子を構成する無底筒状体および接続部材を示す斜視図である。
【図１６】本考案の他の一実施形態の束子の製造の一工程を示す説明図である。
【図１７】本考案の他の一実施形態の束子を示す斜視図である。
【図１８】本考案の他の一実施形態の束子を構成する無底筒状体を示す斜視図である。
【図１９】本考案の他の一実施形態の束子を構成する無底筒状体を示す断面図である。
【図２０】本考案の他の一実施形態の束子を構成する無底筒状体を示す断面図である。
【図２１】本考案の他の一実施形態の束子の製造の一工程を示す説明図である。
【考案を実施するための形態】
【００１７】
［第１の実施形態］
以下、本考案の一実施形態について、図面に基づいて説明する。
【００１８】
図１は、本考案の一実施形態における束子１００を示す斜視図である。また、図２は、図１におけるＡ−Ａ断面を示す断面図である。また、図３は、箸１１０が支持された状態の束子１００および箸１１０を示す使用状態図である。図１〜図３を参照して、本実施形態における束子１００は、芯材１０に複数のブラシ毛２０が植毛されている。この束子１００は、洗浄面２１と、２つの無底筒状体３０とを備える。この洗浄面２１は、ブラシ毛２０の先端により形成される。また、この２つの無底筒状体３０は、洗浄面２１に対して略垂直方向に芯材１０に固定され、箸１１０を支持することが可能である。
【００１９】
本実施形態においては、束子１００は、互いに略平行な２つの洗浄面２１を有している。また、無底筒状体３０は、２つの洗浄面２１の両方向から箸１１０を受け入れることが可能である。なお、芯材１０として、例えば針金などの可撓性と適度な剛性を有する材料が採用されることが好ましい。ブラシ毛２０として、所定の長さにカットされたパーム繊維またはサラン繊維が採用されることが好ましい。また、本実施形態においては、無底筒状体３０は円柱形状の中空部分を有する部材が使用されている。この無底筒状体３０として、スペーサーなどの汎用部材が採用されることが可能である。
【００２０】
本実施形態の束子１００は、上述の構成から、熱せられた状態の食器や鍋類を洗浄する場合や酷く汚れた状態の食器や鍋類や流し台等を洗浄する場合には、２つの無底筒状体３０に箸１１０を支持させて使用することができる。これにより、熱せられた状態の被洗浄物を洗浄する際の使用者の火傷を防止できるとともに、汚染された被洗浄物を洗浄する際の使用者への汚れの付着を防止できる。また、熱せられた状態の食器や鍋類を洗浄する場合や酷く汚れた状態の食器や鍋類や流し台等を洗浄する場合以外では、直接手で握って使用することができる。これにより、被洗浄物に対し適切に力が伝わり、被洗浄物を効果的に洗浄することができる。
【００２１】
また、本実施形態の束子１００は、洗浄面２１が、互いに略平行な２つの洗浄面２１であり、無底筒状体３０が、２つの洗浄面２１に対して略垂直方向に固定され、無底筒状体３０が、２つの洗浄面２１の両方向から箸を受け入れることが可能であることから、無底筒状体３０に箸１１０が支持され易くなる。従って、例えば、調理をする際に使用した箸１１０により即座に調理具を洗浄することができる。
【００２２】
また、図３に示すように、本実施形態においては、２つの無底筒状体３０の中心軸間の距離Ｗは、２０ｍｍ〜３０ｍｍである。これにより、使用者が無底筒状体３０に支持された箸１１０を片手で握ることができる。従って、被洗浄物の洗浄が容易になる。
【００２３】
また、図２に示すように、本実施形態においては、無底筒状体３０の軸方向の長さＬは、２０ｍｍ〜３０ｍｍである。これにより、安定した状態で無底筒状体３０に箸１１０が支持される。なお、本実施形態においては、無底筒状体３０が束子１００の洗浄面２１よりも突出しないように固定されている。このため、洗浄時に無底筒状体３０により被洗浄物が傷付けられることが防止される。また、本実施形態においては、無底筒状体３０の内周径は、４ｍｍ〜６ｍｍである。これにより、確実に箸１１０が支持される。
【００２４】
次に、本実施形態の束子１００の製造方法について、図面に基づいて説明する。
【００２５】
図４〜図６は、本実施形態の束子１００の製造の一工程を示す説明図である。本実施形態の束子１００を製造する際には、まず、図４に示すように、複数のブラシ毛２０を２本の芯材１０の間に略直交させ、かつ、並列させた状態で、芯材１０に挟持させる。次に、図５に示すように、芯材１０を捩じる。そして、捩られた２本の芯材１０の間に無底筒状体３０を矢印Ｆの方向に挿入する。次に、図６に示すように、芯材１０を略馬蹄形状になるように矢印Ｇ方向に折り曲げて、芯材１０の一の端部と他の端部とを結ぶ。
【００２６】
［第２の実施形態］
以下、本考案の他の一実施形態について、図面に基づいて説明する。
【００２７】
図７は、本実施形態における束子２００を示す斜視図である。また、図８は、図７におけるＡ−Ａ断面を示す断面図である。また、図９は、本実施形態の束子２００を構成する無底筒状体２３０および接続部材２３１を示す斜視図である。
【００２８】
本実施形態の束子２００は、無底筒状体３０の代わりに無底筒状体２３０を備える点で、第１の実施形態の束子１００と異なる。その他の構成は、第１の実施形態と同一であるため、説明を繰り返さない。
【００２９】
図７〜図９を参照して、本実施形態の束子２００を構成する２つの無底筒状体２３０は、板状の接続部材２３１により接続されている。この接続部材２３１の略中央部には、穴部２３２が形成されている。この穴部２３２に、芯材１０の延長部１１が挿入される。これにより、無底筒状体２３０が、芯材１０に固定される。
【００３０】
次に、本実施形態の束子２００の製造方法について、図面に基づいて説明する。
【００３１】
図１０〜図１２は、本実施形態の束子２００の製造の一工程を示す説明図である。本実施形態の束子２００を製造する際には、図１０に示すように、複数のブラシ毛２０を２本の芯材１０の間に略直交させ、かつ、並列させた状態で、芯材１０に挟持させる。この時、芯材１０の先端に延長部１１を形成させておく。次に、図１１に示すように、芯材１０を捩じる。次に、図１２に示すように、芯材１０を略馬蹄形状になるように矢印Ｇ方向に折り曲げ、さらに、延長部１１を矢印Ｈ方向に折り曲げる。そして、折り曲げられた延長部１１が、接続部材２３１の穴部２３２に挿入される。
【００３２】
本実施形態の束子２００によれば、接続部材２３１により無底筒状体２３０が接続されていることから、容易に２つの無底筒状体２３０間を位置合わせすることができる。また、接続部材２３１に芯材１０が挿入される穴部２３２が形成されていることから、容易に無底筒状体２３０を芯材１０に固定することができる。なお、本実施形態においても、２つの無底筒状体２３０の中心軸間の距離Ｗは、２０ｍｍ〜３０ｍｍであり、無底筒状体２３０の軸方向の長さＬは、２０ｍｍ〜３０ｍｍである。また、本実施形態においても、無底筒状体２３０の内周径は、４ｍｍ〜６ｍｍである。
【００３３】
［第３の実施形態］
以下、本考案の他の一実施形態について、図面に基づいて説明する。
【００３４】
図１３は、本実施形態における束子３００を示す斜視図である。また、図１４は、図１３におけるＡ−Ａ断面を示す断面図である。また、図１５は、本実施形態の束子３００を構成する無底筒状体３３０および接続部材３３１を示す斜視図である。
【００３５】
本実施形態の束子３００は、無底筒状体２３０および接続部材２３１の代わりに無底筒状体３３０および接続部材３３１を備える点で、第２の実施形態の束子２００と異なる。その他の構成は、第２の実施形態と同一であるため、説明を繰り返さない。
【００３６】
図１３〜図１５を参照して、本実施形態の束子３００を構成する２つの無底筒状体３３０は、無底筒状の接続部材３３１により接続されている。また、２つの無底筒状体３３０の軸方向と接続部材３３１の軸方向（中空部３３２の軸方向）とが略垂直になるように接続されている。この接続部材３３１の内部（中空部３３２）に、芯材１０の延長部１１が挿入される。これにより、無底筒状体３３０が、容易に芯材に固定される。
【００３７】
次に、本実施形態の束子３００の製造方法について、図面に基づいて説明する。
【００３８】
図１６は、本実施形態の束子３００の製造の一工程を示す説明図である。本実施形態の束子３００を製造する際には、第２の実施形態と同様に、図１０に示すように、複数のブラシ毛２０を２本の芯材１０の間に略直交させ、かつ、並列させた状態で、芯材１０に挟持させる。この時、芯材１０の先端に延長部１１を形成させておく。次に、図１１に示すように、芯材１０を捩じる。次に、図１６に示すように、芯材１０を略馬蹄形状になるように矢印Ｇ方向に折り曲げ、さらに、延長部１１を矢印Ｈ方向に折り曲げる。そして、折り曲げられた延長部１１が、接続部材３３１の中空部３３２に挿入される。
【００３９】
本実施形態の束子３００によれば、接続部材３３１により無底筒状体３３０が接続されていることから、容易に２つの無底筒状体３３０間を位置合わせすることができる。また、接続部材３３１に芯材１０が挿入される中空部３３２が形成されていることから、容易に無底筒状体３３０を芯材１０に固定することができる。なお、本実施形態においても、２つの無底筒状体３３０の中心軸間の距離Ｗは、２０ｍｍ〜３０ｍｍであり、無底筒状体３３０の軸方向の長さＬは、２０ｍｍ〜３０ｍｍである。また、本実施形態においても、無底筒状体３３０の内周径は、４ｍｍ〜６ｍｍである。
【００４０】
［第４の実施形態］
以下、本考案の他の一実施形態について、図面に基づいて説明する。
【００４１】
図１７は、本実施形態における束子４００を示す斜視図である。
【００４２】
本実施形態の束子４００は、単一の洗浄面４２１を有する点で、２つの洗浄面を有する第１の実施形態の束子１００と異なる。本実施形態の束子４００は、平面状の基材４１０に複数のブラシ毛４２０が植毛されている。この束子４００は、単一の洗浄面４２１と、２つの無底筒状体４３０とを備える。この洗浄面４２１は、ブラシ毛４２０の先端により形成される。また、この２つの無底筒状体４３０は、洗浄面４２１に対して略垂直方向であって、基材４１０の表面と裏面との間を突き抜けるように基材４１０に固定され、箸１１０を支持することが可能である。なお、ブラシ毛４２０としては、第１の実施形態のブラシ毛２０と同一の材料が採用される。また、無底筒状体４３０は、第１の実施形態の無底筒状体３０と同一の構成である。
【００４３】
本実施形態の束子４００によっても、熱せられた状態の食器や鍋類を洗浄する場合や酷く汚れた状態の食器や鍋類や流し台等を洗浄する場合には、２つの無底筒状体４３０に箸１１０を支持させて使用することができる。これにより、熱せられた状態の被洗浄物を洗浄する際の使用者の火傷を防止できるとともに、汚染された被洗浄物を洗浄する際の使用者への汚れの付着を防止できる。また、熱せられた状態の食器や鍋類を洗浄する場合や酷く汚れた状態の食器や鍋類や流し台等を洗浄する場合以外では、直接手で握って使用することができる。これにより、被洗浄物に対し適切に力が伝わり、被洗浄物を効果的に洗浄することができる。
【００４４】
［第５の実施形態］
以下、本考案の他の一実施形態について、図面に基づいて説明する。
【００４５】
図１８は、本実施形態における束子５００を構成する無底筒状体５３０を示す斜視図である。
【００４６】
本実施形態の束子５００は、無底筒状体３０の代わりに無底筒状体５３０を備える点で、第１の実施形態の束子１００と異なる。その他の構成は、第１の実施形態と同一であるため、説明を繰り返さない。
【００４７】
図１８を参照して、本実施形態の束子５００を構成する無底筒状体５３０は、略長円柱形状または楕円柱形状の中空部分５３１を有する点で、円柱状の中空部分を有する第１の実施形態の無底筒状体３０と異なる。中空部分５３１の短径（短軸の径）Ｘは、４ｍｍ〜６ｍｍである。なお、本実施形態においても、無底筒状体５３０の軸方向の長さＬは、２０ｍｍ〜３０ｍｍである。
【００４８】
本実施形態の束子５００によれば、略長円柱形状または楕円柱形状の中空部分５３１を有することから、無底筒状体５３０の箸１１０の受け入れが容易となる。また、中空部分５３１の短径（短軸の径）Ｘは、４ｍｍ〜６ｍｍであることから、確実に箸１１０が支持される。
【００４９】
［第６の実施形態］
以下、本考案の他の一実施形態について、図面に基づいて説明する。
【００５０】
図１９は、本実施形態における束子６００を構成する無底筒状体６３０を示す断面図である。
【００５１】
本実施形態の束子６００は、無底筒状体３０の代わりに無底筒状体６３０を備える点で、第１の実施形態の束子１００と異なる。その他の構成は、第１の実施形態と同一であるため、説明を繰り返さない。
【００５２】
図１９を参照して、本実施形態の束子６００を構成する無底筒状体６３０は、その中空部分６３１が、洗浄面２１に向かって細くなる部分Ｐを有している。このような構成から、細くなる部分Ｐが箸１１０を確実に支持することができる。なお、箸１１０の確実な受け入れ、および箸１１０の確実な支持の観点から、この細くなる部分Ｐの径Ｘは、３ｍｍ〜５ｍｍであることが好ましい。また、本実施形態においても、無底筒状体６３０の軸方向の長さＬは、２０ｍｍ〜３０ｍｍである。
【００５３】
［第７の実施形態］
以下、本考案の他の一実施形態について、図面に基づいて説明する。
【００５４】
図２０は、本実施形態における束子７００を構成する無底筒状体７３０を示す断面図である。
【００５５】
本実施形態の束子７００は、無底筒状体３０の代わりに無底筒状体７３０を備える点で、第１の実施形態の束子１００と異なる。その他の構成は、第１の実施形態と同一であるため、説明を繰り返さない。
【００５６】
図２０を参照して、本実施形態の束子７００を構成する無底筒状体７３０は、その中空部分７３１に凸部７３２が形成される。この凸部７３２が形成されることから、中空部分７３１の最小幅部分に箸１１０が確実に支持される。なお、箸１１０の確実な受け入れ、および箸１１０の確実な支持の観点から、この最小幅Ｘは、３ｍｍ〜５ｍｍであることが好ましい。また、本実施形態においても、無底筒状体７３０の軸方向の長さＬは、２０ｍｍ〜３０ｍｍである。
【００５７】
［第８の実施形態］
以下、本考案の他の一実施形態について、図面に基づいて説明する。
【００５８】
図２１は、本実施形態の束子８００の製造の一工程を示す説明図である。
【００５９】
本実施形態の束子８００は、無底筒状体３３０および接続部材３３１の代わりに無底筒状体８３０および固定部材８３１を備える点で、第３の実施形態の束子３００と異なる。その他の構成は、第３の実施形態と同一であるため、説明を繰り返さない。
【００６０】
本実施形態の束子８００を構成する各無底筒状体８３０は、無底筒状の固定部材８３１に固定されている。また、無底筒状体３３０の軸方向と固定部材８３１の軸方向（中空部８３２の軸方向）とが略垂直になるように固定されている。この固定部材８３１の内部（中空部８３２）に、芯材１０の延長部１１が挿入される。これにより、無底筒状体８３０が、容易に芯材１０に固定される。
【００６１】
本実施形態の束子８００を製造する際には、図２１に示すように、芯材１０を略馬蹄形状になるように矢印Ｇ方向に折り曲げ、さらに、延長部１１を矢印Ｈ方向に折り曲げる。そして、折り曲げられた延長部１１が、固定部材８３１の中空部８３２に挿入される。
【００６２】
［その他］
なお、上記各実施形態においては、無底筒状体３０，２３０，３３０，４３０，５３０，６３０，７３０の軸方向の長さＬが、２０ｍｍ〜３０ｍｍであることとしているが、これに限定されない。ただし、安定した状態での箸１１０の支持の観点から、無底筒状体３０，２３０，３３０，４３０，５３０，６３０，７３０の軸方向の長さＬが、２０ｍｍ〜３０ｍｍであることが好ましい。
【００６３】
また、上記第１、第２、第３、第４の実施形態においては、無底筒状体３０，２３０，３３０，４３０の中心軸間の距離Ｗが、２０ｍｍ〜３０ｍｍであることとしているが、これに限定されない。ただし、無底筒状体３０，２３０，３３０，４３０に支持された箸１１０を片手で握るなどの利便性の観点から、無底筒状体３０，２３０，３３０，４３０の中心軸間の距離Ｗが、２０ｍｍ〜３０ｍｍであることが好ましい。
【００６４】
また、上記第１、第２、第３、第４の実施形態においては、無底筒状体３０，２３０，３３０，４３０の内周径が、４ｍｍ〜６ｍｍであることとしているが、これに限定されない。ただし、箸１１０の確実な支持の観点から、無底筒状体３０，２３０，３３０，４３０の内周径が、４ｍｍ〜６ｍｍであることが好ましい。また、第５の実施形態においては、中空部分５３１の短径（短軸の径）Ｘが、４ｍｍ〜６ｍｍであることとしているが、これに限定されない。ただし、箸１１０の確実な支持の観点から、中空部分５３１の短径（短軸の径）Ｘが、４ｍｍ〜６ｍｍであることが好ましい。また、第６の実施形態においては、細くなる部分Ｐの径Ｘが、３ｍｍ〜５ｍｍであることとしているが、これに限定されない。ただし、箸１１０の確実な受け入れ、および箸１１０の確実な支持の観点から、細くなる部分Ｐの径Ｘが、３ｍｍ〜５ｍｍであることが好ましい。また、第７の実施形態においては、中空部分７３１の最小幅Ｘが、３ｍｍ〜５ｍｍであることとしているが、これに限定されない。ただし、箸１１０の確実な受け入れ、および箸１１０の確実な支持の観点から、中空部分７３１の最小幅Ｘが、３ｍｍ〜５ｍｍであることが好ましい。
【００６５】
また、上記各実施形態においては、２つの無底筒状体３０，２３０，３３０，４３０，５３０，６３０，７３０を備えることとしているが、これに限定されない。無底筒状体３０，２３０，３３０，４３０，５３０，６３０，７３０の個数が、単一であっても、３つ以上の複数であっても良い。ただし、２本の箸１１０による確実な束子１００，２００，３００，４００，６００，７００の支持の観点から、２つ以上の無底筒状体３０，２３０，３３０，４３０，６３０，７３０を備えることが好ましい。なお、無底筒状体５３０が採用される場合には、単一の無底筒状体５３０が２本の箸１１０を受け入れ可能なことから、単一の無底筒状体５３０を備える場合であっても、２本の箸１１０により確実に束子５００が支持される。
【００６６】
また、上記第１の実施形態においては、捩られた２本の芯材１０の間に無底筒状体３０を図５の矢印Ｆの方向に挿入して束子１００を製造していたが、この製造方法に限定されない。例えば、複数のブラシ毛２０および無底筒状体３０を２本の芯材１０の間に略直交させ、かつ、並列させた状態で、芯材１０に挟持させ、その後、ブラシ毛２０および無底筒状体３０とともに芯材１０を捩って束子１００を製造しても良い。
【００６７】
また、上記第１、第２、第３、第４の実施形態においては、無底筒状体３０，２３０，３３０，４３０として、円柱形状の中空部分を有する部材が採用されているが、これに限定されない。例えば、多角柱形状の中空部分を有する部材が採用されても良い。
【００６８】
また、上記第８の実施形態においては、無底筒状体８３０に固定部材８３１が固定されることにより、無底筒状体８３０が固定されているが、この固定部材８３１は、上記第５、６、７の無底筒状体５３０、６３０、７３０に固定されても良い。
【００６９】
上記各実施の形態は、すべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【符号の説明】
【００７０】
１０  芯材
２０，４２０  ブラシ毛
２１，４２１  洗浄面
３０，２３０，３３０，４３０，５３０，６３０，７３０，８３０  無底筒状体
１００，２００，３００，４００，５００，６００，７００，８００  束子
１１０  箸
２３１，３３１  接続部材
２３２  穴部
３３２，８３２  中空部
４１０  基材
５３１，６３１，７３１  中空部分
７３２  凸部
８３１  固定部材
【図１】
0003158276.tif 000003
【図２】
0003158276.tif 000004
【図３】
0003158276.tif 000005
【図４】
0003158276.tif 000006
【図５】
0003158276.tif 000007
【図６】
0003158276.tif 000008
【図７】
0003158276.tif 000009
【図８】
0003158276.tif 000010
【図９】
0003158276.tif 000011
【図１０】
0003158276.tif 000012
【図１１】
0003158276.tif 000013
【図１２】
0003158276.tif 000014
【図１３】
0003158276.tif 000015
【図１４】
0003158276.tif 000016
【図１５】
0003158276.tif 000017
【図１６】
0003158276.tif 000018
【図１７】
0003158276.tif 000019
【図１８】
0003158276.tif 000020
【図１９】
0003158276.tif 000021
【図２０】
0003158276.tif 000022
【図２１】
0003158276.tif 000023